(57)【要約】      （修正有）【課題】発売毎に携帯電話機のカメラの機能として高画素化が進んでも、携帯電話機の機種を変更せずとも高画素化したカメラを使用することを可能にする。【解決手段】カメラ機能を有する携帯電話機１００のカメラ交換システムに、旧機種の携帯電話機に装備され、交換機能を有する旧カメラ１０１で撮像された画像データを格納する画像用メモリ領域を有するメモリ部１１１と、旧カメラとの交換で旧機種の携帯電話機に装備される新機種の携帯電話機の高画素のカメラ１０１と、旧機種の携帯電話機に高画素のカメラが装備されたとき、高画素のカメラのタイプ情報を検出するカメラタイプ検出部１１２Ａと、カメラタイプ検出部で検出されたタイプ情報に含まれる画素情報に基づいて、旧カメラに対する高画素のカメラの画素の増加程度に応じてメモリ部の画像用メモリ領域の増加を割り当てる画像メモリ領域増加割当部１１２Ｂとを備える。【選択図】図２
2005252885.tif 000002
【特許請求の範囲】
【請求項１】
カメラ機能を有する携帯電話機のカメラ交換システムにおいて、
旧機種の携帯電話機に装備され、交換機能を有する旧カメラで撮像された画像データを格納する画像用メモリ領域を有するメモリ部と、
前記旧カメラとの交換で前記旧機種の携帯電話機に装備される新機種の携帯電話機の高画素のカメラと、
旧機種の携帯電話機に前記高画素のカメラが装備されたとき、前記高画素のカメラのタイプ情報を検出するカメラタイプ検出部と、
前記カメラタイプ検出部で検出されたタイプ情報に含まれる画素情報に基づいて、前記旧カメラに対する前記高画素のカメラの画素の増加程度に応じて前記メモリ部の画像用メモリ領域の増加を割り当てる画像メモリ領域増加割当部とを備えることを特徴とする携帯電話機のカメラ交換システム。
【請求項２】
前記メモリ部は、前記旧カメラに対する前記高画素のカメラの画素の増加程度に応じて前記画像用メモリ領域の増加を割り当てる空きメモリが無い場合には、消去可能なメモリ領域の検索を行い、消去可能なメモリ領域を指定して、指定したメモリ領域を消去し、前記画像用メモリ領域の増加を割り当てることを特徴とする、請求項１に記載の携帯電話機のカメラ交換システム。
【請求項３】
前記画像メモリ領域増加割当部は静止画、動画を撮像するカメラの交換に対してカメラの静止画、動画の画素の増加の程度に応じて前記画像用メモリ領域の増加を割り当てることを特徴とする、請求項１に記載の携帯電話機のカメラ交換システム。
【請求項４】
さらに、新機能ダウンロード部を設け、前記新機能ダウンロード部は、前記カメラタイプ検出部で検出されたタイプ情報に含まれる画素情報とともに新機能が検出された場合、指定サイトにアクセスし必要なソフトウエアをダウンロードすることを特徴とする、請求項１に記載の携帯電話機のカメラ交換システム。
【請求項５】
前記新機能にはＡＦ（オートフォーカス）、光学ズーム、メカシャッター、手ぶれ補正、逆光補正の少なくとも１つの付加機能を含むことを特徴とする、請求項４に記載の携帯電話機のカメラ交換システム。
【請求項６】
カメラ機能を有する携帯電話機のカメラ交換方法において、
旧機種の携帯電話機に装備され、交換機能を有する旧カメラで撮像された画像データを画像用メモリ領域に格納する工程と、
前記旧カメラとの交換で前記旧機種の携帯電話機に新機種の携帯電話機の高画素のカメラを装備する工程と、
旧機種の携帯電話機に前記高画素のカメラが装備されたとき、前記高画素のカメラのタイプ情報を検出する工程と、
検出された前記タイプ情報に含まれる画素情報に基づいて、前記旧カメラに対する前記高画素のカメラの画素の増加程度に応じて前記画像用メモリ領域の増加を割り当てる工程とを備えることを特徴とする携帯電話機のカメラ交換方法。
【発明の詳細な説明】
【技術分野】
【０００１】
本発明はカメラ機能を有する携帯電話機に関する。特に、本発明は、カメラ機能のグレードアップに伴う携帯電話機のカメラ交換システム及び方法に関する。
【背景技術】
【０００２】
従来、カメラ機能を有する携帯型情報端末機器において、容易にカメラの光学特性を変化させられるようにするため、筐体に、レンズと撮像素子とを含む撮像モジュールを配設したカメラ機能を有する携帯型情報端末機器において、上記レンズとは異なるアダプタ光学系を所定の位置に配設した当該機器のための蓋部材を、上記レンズの光軸と上記アダプタ光学系の光軸とが略一致する第１の状態と、上記アダプタ光学系を反転させて上記レンズの光軸と上記アダプタ光学系の光軸とが略一致する第２の状態とを採り得るように、当該筐体に結合し、上記第１の状態とさせたときの上記レンズと上記アダプタ光学系とによる合成光学系の光学特性と、上記第２の状態とさせたときの合成光学系の光学特性と、上記第１の光学系の光学特性とがそれぞれ異なるように構成するものがある（例えば、特許文献１参照）。
【０００３】
しかしながら、上記の特許文献１では携帯型情報端末機器にカメラ機能を有するが、現在の携帯電話機のカメラでは、新機種が発売される毎に高画素化のような高機能化が進み、携帯電話機の機種を変更しなければ高画素のような高機能化したカメラを使用することができないという問題がある。
また、従来、像形成装置を接続するコネクタを有するポータブル無線装置を提供するため、移動電話のヘッドセットジャックソケットコネクタを使用して、ビデオカメラモジュールの入力を追加できるようにし、ビデオカメラが移動電話に挿入されたときを検出し、カメラモジュールからの映像信号を受信するように移動電話を切り換え、それ故、移動電話の既存の特徴を効果的に利用し、スペースを節約し、更に、ジャックソケットに挿入されたカメラモジュールは、ユーザが異なる像を撮影できるように異なる位置間で回転することができるものがある（例えば、特許文献２参照）。
【０００４】
しかしながら、上記の特許文献２のように移動電話にビデオカメラの入力を可能にしているが、現在の携帯電話機のカメラでは、動画の撮像、表示も可能であり、新機種が発売される毎に高画素化のような高機能化が進み、携帯電話機の機種を変更しなければ高画素のように高機能化したカメラを使用することができないという問題がある。
【０００５】
また、携帯電話機にカメラが一体化されたものしかなく、カメラを携帯電話機から着脱自在にすることができないため、着脱機構部により、携帯機本体にカメラ部を着脱自在にすると共に、携帯機本体にカメラ部を装着した時には、非接触コネクタを介して制御信号、クロック信号、映像信号、および電力を携帯機本体およびカメラ部間において伝送することにより、携帯機本体にカメラ部を装着した時の所定の機能を可能にしたものがある（例えば、特許文献３参照）。
【０００６】
しかしながら、現在の携帯電話機のカメラでは、新機種が発売される毎に高画素化のような高機能化が進み、上記の特許文献３の携帯機のように他の用途のためにカメラを着脱可能な場合であっても、携帯電話機の機種を変更しなければ高画素のように高機能化したカメラを使用することができないという問題がある。
【０００７】
【特許文献１】特開２００３−１１０８９５号公報
【特許文献２】特開２００１−３１３６９７号公報
【特許文献３】特開２０００−２５２１４４号公報
【発明の開示】
【発明が解決しようとする課題】
【０００８】
したがって、本発明は上記問題点に鑑みて、発売される毎に携帯電話機のカメラの機能として高画素化のような高機能化が進んでも、携帯電話機の機種を変更せずとも高画素化のように高機能化したカメラを使用することが可能である携帯電話機のカメラ交換システム及び方法を提供することを目的とする。
【課題を解決するための手段】
【０００９】
本発明は前記問題点を解決するために、カメラ機能を有する携帯電話機のカメラ交換システムにおいて、旧機種の携帯電話機に装備され、交換機能を有する旧カメラで撮像された画像データを格納する画像用メモリ領域を有するメモリ部と、前記旧カメラとの交換で前記旧機種の携帯電話機に装備される新機種の携帯電話機の高画素のカメラと、旧機種の携帯電話機に前記高画素のカメラが装備されたとき、前記高画素のカメラのタイプ情報を検出するカメラタイプ検出部と、前記カメラタイプ検出部で検出されたタイプ情報に含まれる画素情報に基づいて、前記旧カメラに対する前記高画素のカメラの画素の増加程度に応じて前記メモリ部の画像用メモリ領域の増加を割り当てる画像メモリ領域増加割当部とを備えることを特徴とする携帯電話機のカメラ交換システムを提供する。
【００１０】
さらに、前記メモリ部は、前記旧カメラに対する前記高画素のカメラの画素の増加程度に応じて前記画像用メモリ領域の増加を割り当てる空きメモリが無い場合には、消去可能なメモリ領域の検索を行い、消去可能なメモリ領域を指定して、指定したメモリ領域を消去し、前記画像用メモリ領域の増加を割り当てる。
さらに、前記画像メモリ領域増加割当部は静止画、動画を撮像するカメラの交換に対してカメラの静止画、動画の画素の増加の程度に応じて前記画像用メモリ領域の増加を割り当てる。
【００１１】
さらに、新機能ダウンロード部を設け、前記新機能ダウンロード部は、前記カメラタイプ検出部で検出されたタイプ情報に含まれる画素情報とともに新機能が検出された場合、指定サイトにアクセスし必要なソフトウエアをダウンロードする。
さらに、前記新機能にはＡＦ（オートフォーカス）、光学ズーム、メカシャッター、手ぶれ補正、逆光補正の少なくとも１つの付加機能を含む。
【００１２】
さらに、本発明は、カメラ機能を有する携帯電話機のカメラ交換方法において、旧機種の携帯電話機に装備され、交換機能を有する旧カメラで撮像された画像データを画像用メモリ領域に格納する工程と、前記旧カメラとの交換で前記旧機種の携帯電話機に新機種の携帯電話機の高画素のカメラを装備する工程と、旧機種の携帯電話機に前記高画素のカメラが装備されたとき、前記高画素のカメラのタイプ情報を検出する工程と、検出された前記タイプ情報に含まれる画素情報に基づいて、前記旧カメラに対する前記高画素のカメラの画素の増加程度に応じて前記画像用メモリ領域の増加を割り当てる工程とを備えることを特徴とする携帯電話機のカメラ交換方法を提供する。
【発明の効果】
【００１３】
以上説明したように、本発明によれば、既存の携帯電話機の本体ごと変更することなく、カメラ機構部のみを交換することによって高画素化、新機能の付加が可能となる。
また、近日のカメラ機能を有する携帯電話機のカメラの高画素化、高機能化に伴って、撮影禁止区域が増え、携帯電話機の持ち込みが問題視されているが、カメラを取り外しすることにより、この問題を解決することが可能となる。
【発明を実施するための最良の形態】
【００１４】
図１は本発明に係る携帯電話機の概略外観を示す斜視図である。本図（ａ）の全体図に示すように、携帯電話機１００は、一例として、折畳式携帯電話機であり、本図（ｂ）の部分拡大図に示すように、展開した上側の左側にカメラ１０１が装着されている。
携帯電話機１００とカメラ１０１の機構部分とは別の部品で構成されており、携帯電話機１００はカメラ１０１とコネクタ等で接続されており、カメラ１０１を自由に取り外して交換することが可能な状態になっており、カメラ１０１を変更する際に、カメラ１０１を携帯電話機１００の本体から抜き、グレードアップされたカメラ１０１−１を差込む構成となっている。
【００１５】
交換可能なカメラ１０１は、静止画の撮像の場合、例えば、標準品として初期状態から取り付けられている３０万画素のＣＭＯＳ（相補性金属酸化膜半導体）カメラである。
グレードアップされたカメラ１０１−１は、携帯電話機１００の購入後に発売された新機種の携帯電話機１００の高画素のカメラであり、例えば、１００万画素の高画素のＣＣＤ（電荷結合素子）カメラなどにグレードアップされており、新機種の携帯電話機１００の高画素のカメラだけを購入して、カメラ１０１と交換される。
【００１６】
さらに、１００万画素のＣＣＤカメラであるカメラ１０１−１の交換後に、さらなる新機種の携帯電話機１００が発売され、さらなる新機種の携帯電話機１００に装備されているカメラ１０１−２が、例えば、１２０万画素のより高画素のＣＣＤカメラなどにグレードアップされている場合には、より高画素のカメラ１０１−２だけを購入して、カメラ１０１−１をより高画素のカメラ１０１−２に交換することが可能である。このようにして、新機種の携帯電話機の発売毎に、カメラのグレードアップに伴ってカメラだけを交換することが可能である。
【００１７】
また、交換可能なカメラ１０１は、動画の撮像の場合にも前述と同様に、例えば、標準品として初期状態から取り付けられている２０万画素のＣＣＤビデオカメラである。
グレードアップされたカメラ１０１−１は、携帯電話機１００の購入後に発売された新機種の携帯電話機１００の高画素のビデオカメラであり、例えば、２５万画素の高画素のＣＣＤビデオカメラなどにグレードアップされており、新機種の携帯電話機１００の高画素のビデオカメラだけを購入して、カメラ１０１と交換される。
【００１８】
さらに、２５万画素のＣＣＤビデオカメラである高画素のカメラ１０１−１への交換後に、さらなる新機種の携帯電話機１００が発売され、さらなる新機種の携帯電話機１００に装備されているカメラ１０１−２が、例えば、３０万画素のより高画素のＣＣＤビデオカメラなどにグレードアップされている場合には、より高画素のカメラ１０１−２だけを購入して、カメラ１０１−１をより高画素のカメラ１０１−２に交換することが可能である。このようにして、新機種の携帯電話機の発売毎に、カメラのグレードアップに伴ってカメラだけを交換することが可能である。
【００１９】
図２は図１における携帯電話機１００の概略構成を示すブロック図である。本図に示すように、携帯電話機１００にはアンテナ１０３が設けられ、アンテナ１０３は基地局（図示しない）と無線通信を行う。
アンテナ１０３に接続される無線部１０４は送信データを送信信号に変調し、受信信号を受信データに復調する。無線部１０４に接続されるベースバンド処理部１０５は送受信データの種々の処理を行う。
【００２０】
ベースバンド処理部１０５には制御部１１２が接続され、制御部１１２は携帯電話機１００の全体の制御を行う。
携帯電話機１００には受話部１０７、送話部１０８が設けられ、受話部１０７は受話音を入力し電気信号に変換し、送話部１０８は電気信号を送話音に変換し送話音を出力する。受話部１０７、送話部１０８にはインターフェース１０９を介して制御１１２に接続される。ここでは、アンテナ１０３、無線部１０４、ベースバンド処理部１０５、インターフェース１０６、受話部１０７、送話部１０８、インターフェース１０９等は本発明との関係が薄いので、これ以上の詳細な説明を省略する。
【００２１】
さらに、前述の交換可能なカメラ１０１（カメラ１０１−１、１０１−２）にはインターフェース１０６を介して制御部１１２が接続される。
さらに、制御部１１２には表示部１１０が接続され、表示部１１０は文字、数字と共に静止画又は動画を表示する。
さらに、制御部１１２にはメモリ部１１１が接続され、メモリ部１１１は基本ソフトウエア、アプリケーション、データ等を格納し、特に、カメラ１０１等で撮像された画像データを格納する画像用メモリ領域を有する。
【００２２】
さらに、制御部１１２にはカメラタイプ検出部１１２Ａが設けられ、カメラタイプ検出部１１２Ａは携帯電話機１００の本体から標準のカメラ１０１を取り外し携帯電話機１００の本体により高画素のカメラ１０１−１を接続すると、カメラのタイプ情報を検出する。
検出されたカメラのタイプ情報には、静止画、動画、又は静止画と動画の両方の撮像機能の有無、画素数情報、新機能情報等が含まれる。
【００２３】
カメラを変更する際に、画素のグレードアップだけでなく、新機能を増やしたカメラに変更され、新機能として、例えば、ＡＦ（オートフォーカス）、光学ズーム、メカシャッター、手ぶれ補正、逆光補正等の付加機能が新たに使用可能となり、カメラのバージョンアップが行われる。
さらに、制御部１１２には画像メモリ領域増加割当部１１２Ｂが設けられ、画像メモリ領域増加割当部１１２Ｂは、カメラタイプ検出部１１２Ａで検出されたカメラのタイプ情報の画素情報に基づき、画素増加に伴って、メモリ部１１１への撮像画像保存に必要とされる画像用メモリ領域を増加する割当を行う。
【００２４】
さらに、制御部１１２には新機能ダウンロード部１１２Ｃが設けられ、新機能ダウンロード部１１２Ｃはカメラタイプ検出部１１２Ａのカメラのタイプ情報に新機能情報がある場合には、指定サイトにアクセスし、必要なソフトウエアをダウンロードする。
図３は図１における画像メモリ領域増加割当部１１２Ｂによるメモリ部１１１に対する画像用メモリ領域の増加例を説明する図である。画像メモリ領域増加割当部１１２Ｂは、本図（ａ）に示すように、メモリ部１１１に空きがある場合には、カメラ１０１の交換前のメモリ部１１１におけるカメラ１０１の画像用メモリ領域に対して、カメラ１０１からより高画素のカメラ１０１−１への交換後、メモリ部１１１におけるカメラ１０１−１の画像用メモリ領域の割当をカメラ１０１からカメラ１０１−１への画素増加の程度に応じて増加する。
【００２５】
本図（ｂ）に示すように、メモリ部１１１に空きが無い場合には、本図（ａ）に示すように、メモリ部１１１に空きがある場合には、カメラ１０１の交換前のメモリ部１１１におけるカメラ１０１の画像用メモリ領域に対して、消去可能と思われるメモリを自動的に検出し、消去し、カメラ１０１からより高画素のカメラ１０１−１への交換後、メモリ部１１１におけるカメラ１０１−１の画像用メモリ領域の割当をカメラ１０１からカメラ１０１−１への画素増加の程度に応じて増加する。
【００２６】
なお、カメラ１０１、１０１−１が静止画、動画であっても、画像メモリ領域増加割当部１１２Ｂはメモリ部１１１に対して画像用メモリ領域の割当の増加を行う。
図４は図１における画像メモリ領域増加割当部１１２Ｂの動作例を説明するフローチャートである。
本図に示すように、携帯電話機１００の本体と高画素のカメラ１０１−１が接続すると、ステップＳ２０１において、カメラタイプ検出部１１２Ａでは、カメラのタイプ情報を検出する。
【００２７】
ステップＳ２０２において、画像メモリ領域増加割当部１１２Ｂでは、カメラタイプ検出部１１２Ａで検出されたカメラのタイプ情報を基に、画素数の増加程度から必要な増加メモリ量を算出する。
ステップＳ２０３において、画像メモリ領域増加割当部１１２Ｂからメモリ部１１１に対して、算出した必要な増加メモリ量に対応する必要な空きメモリ検索を行う。必要な空きメモリがある場合には、ステップＳ２０８に進む。
【００２８】
ステップＳ２０４において、必要な空きメモリが無い場合には、画像メモリ領域増加割当部１１２Ｂからメモリ部１１１に対して、消去可能なメモリ領域の検索を行う。
ステップＳ２０５において、画像メモリ領域増加割当部１１２Ｂはメモリ部１１１において、消去可能なメモリ一覧の情報を検出する。すなわち、基本ソフトウエア、重要なアプリケーション、重要なデータ等を除き、消去しても携帯電話機１００の機能を維持することが可能なメモリ一覧が検出される。
【００２９】
ステップＳ２０６において、消去メモリを指定する。
ステップＳ２０７において、メモリ部１１１では、指定された消去メモリに対して消去してよいか否かの判断を行う。メモリ部１１１は、検出された消去可能なメモリ一覧でユーザが特に予め消去を拒否したメモリについては、消去メモリに指定されても、メモリ消去の指定を拒否する。指定された消去メモリが消去できない場合にはステップＳ２０５に戻り、検出された消去可能メモリ一覧に戻り、再度消去メモリを指定する。
【００３０】
消去可能メモリの消去が可能と判断し、メモリ部１１１の消去したメモリを追加してカメラ画像用メモリに割当て、カメラ画像用メモリ領域の増加が可能になり、画素数の増加程度から必要な増加メモリ量を確保でき、高画素のカメラ１０１−１の起動が可能になり、処理を終了する。
このように、メモリ部１１１のメモリが不足した場合には消去可能と思われるメモリを自動的に検出し、その一覧内から選択し、消去が行われ、追加すべきカメラ画像用メモリ領域を自動的に指定する。必要最低限のメモリが確保でき、高画素のカメラの起動が可能となる。
【００３１】
ステップＳ２０８において、メモリ部１１１に空きメモリがある場合には、空きメモリを追加してカメラ画像用メモリに割当て、カメラ画像用メモリ領域の増加ができ、高画素のカメラ１０１−１の起動が可能になり、処理を終了する。
したがって、本発明によれば、既存の携帯電話機１００の本体ごと変更することなく、カメラ機構部のみを変えることによって高画素化が可能となる。
【００３２】
図５は図１における新機能ダウンロード部１１２Ｃの動作例を説明するフローチャートである。
本図に示すように、携帯電話機１００の本体と新機能のカメラ１０１−１が接続されると、ステップＳ２１１において、カメラタイプ検出部１１２Ａでは、カメラのタイプ情報を検出する。
【００３３】
ステップＳ２１２において、ダウンロード部１１２Ｃでは、カメラタイプ検出部１１２Ａで検出されたカメラのタイプ情報を基に、新機能情報、例えば、ＡＦ（オートフォーカス）、光学ズーム、メカシャッター、手ぶれ補正、逆光補正等の付加機能を検出する。
ステップＳ２１３において、新機能ダウンロード部１１２Ｃでは、新機能情報を検出した後、指定サイトにアクセスし必要なソフトウエアをダウンロードし、新機能のカメラ１０１−１の起動が可能になり、処理を終了する。
【００３４】
したがって、本発明によれば、既存の携帯電話機１００の本体ごと変更することなく、カメラ機構部のみを変えることによって新機能の付加、多機能化が可能となる。
また、近日のカメラ機能を有する携帯電話機のカメラの高画素化、高機能化に伴って、撮影禁止区域が増え、携帯電話機の持ち込みが問題視されているが、カメラを取り外しすることにより、この問題を解決することが可能となる。
【図面の簡単な説明】
【００３５】
【図１】本発明に係る携帯電話機の概略外観を示す斜視図である。
【図２】図１における携帯電話機１００の概略構成を示すブロック図である。
【図３】図１における画像メモリ領域増加割当部１１２Ｂによるメモリ部１１１に対する画像用メモリ領域の増加例を説明する図である。
【図４】図１における画像メモリ領域増加割当部１１２Ｂの動作例を説明するフローチャートである。
【図５】図１における新機能ダウンロード部１１２Ｃの動作例を説明するフローチャートである。
【符号の説明】
【００３６】
１００…携帯電話機
１０１、１０１−１…カメラ
１０３…アンテナ
１０４…無線部
１０５…ベースバンド処理部
１０６、１０９…インターフェース
１０７…受話部
１０８…送話部
１１０…表示部
１１１…メモリ部
１１２…制御部
１１２Ａ…カメラタイプ検出部
１１２Ｂ…画像メモリ領域増加割当部
１１２Ｃ…新機能ダウンロード部
【図１】
2005252885.tif 000003
【図２】
2005252885.tif 000004
【図３】
2005252885.tif 000005
【図４】
2005252885.tif 000006
【図５】
2005252885.tif 000007